(57)【要約】【課題】  ピッチ保持コードのプリーツスクリーン用レールへの取付作業が容易となるピッチ保持コード用端子を提供する。【解決手段】 ピッチ保持コード用端子は、一体に連続する頭部と胴部と脚部と、頭部から胴部を通り脚部に抜ける１個以上のコード孔を備え、脚部と胴部の短径は、同方向同大で取付溝又は取付孔の開口の短径以下であり、胴部の短径と直交する長径は、上記開口内において開口の短径方向を向くとき、弾性変形して上記開口に嵌着する大きさであり、胴部長径と同方向の脚部の長径は、胴部の長径以上であることを特徴とする。【選択図】      図２
2005282134.tif 000002
【特許請求の範囲】
【請求項１】
プリーツスクリーン用レールに設けられる取付溝又は取付孔に着脱可能に固定されるピッチ保持コード用端子において、前記取付溝又は取付孔は、長穴状の開口と、前記開口から短径方向に両側へ拡大する内部空間を備え、前記ピッチ保持コード用端子は、一体に連続する頭部と胴部と脚部と、前記頭部から前記胴部を通り前記脚部に抜ける１個以上のコード孔を備え、前記脚部と前記胴部の短径は、同方向同大で前記開口の短径以下であり、前記胴部の前記短径と直交する長径は、前記開口内において前記開口の短径方向を向くとき、弾性変形して前記開口に嵌着する大きさであり、前記胴部長径と同方向の前記脚部の長径は、前記胴部の長径以上であることを特徴としてなるプリーツスクリーンのピッチ保持コード用端子。
【請求項２】
開口は、長径がレール長手方向を向き、短径がレール長手方向と直交することを特徴としてなる請求項１に記載のプリーツスクリーンのピッチ保持コード用端子。
【請求項３】
胴部は、横断面が楕円形又は長円形であることを特徴としてなる請求項１又は２に記載のプリーツスクリーンのピッチ保持コード用端子。
【請求項４】
脚部は、横断面が角の丸い長方形又は２つの直線状長辺と２つの円弧状短辺からなる４辺形であることを特徴としてなる請求項１ないし３のいずれか１つに記載のプリーツスクリーンのピッチ保持コード用端子。
【請求項５】
頭部は、横断面が角の丸い長方形又は２つの直線状長辺と２つの円弧状短辺からなる４辺形であり、前記頭部の長径は、脚部の長径と直交する方向に前記脚部の長径以上であり、前記頭部の短径は、前記脚部の長径と同方向にの短径は、前記脚部の長径以下であることを特徴としてなる請求項１ないし４のいずれか１つに記載のプリーツスクリーンのピッチ保持コード用端子。
【請求項６】
頭部は、正面の長径方向両側に開口に嵌る突起を備えることを特徴としてなる請求項１ないし５のいずれか１つに記載のプリーツスクリーンのピッチ保持コード用端子。
【請求項７】
２つのコード孔が胴部の長径方向に並列することを特徴としてなる請求項１ないし６のいずれか１つに記載のプリーツスクリーンのピッチ保持コード用端子。
【請求項８】
取付溝又は取付孔は、プリーツスクリーン用レールの背面に設けられることを特徴としてなる請求項１ないし７のいずれか１つに記載のプリーツスクリーンのピッチ保持コード用端子。
【発明の詳細な説明】
【技術分野】
【０００１】
本発明は、プリーツスクリーンのヘッドボックス、ボトムレール、中間レール等のプリーツスクリーン用レールにピッチ保持コードの端部を取り付けるために使用される端子に関する。
【背景技術】
【０００２】
ピッチ保持コードは、上端部がヘッドボックス又は中間レールの底面又は背面に、下端部が中間レール又はボトムレールの底面又は背面にそれぞれ取り付けられ、その間に吊り下げられるプリーツスクリーンのプリーツピッチを一定に保持する。従来、ピッチ保持コードは、端部が、ボトムレール等の底面又は背面に穿設されたコード孔に通されて結び玉に形成されるか、又は端子に止着されることにより、ボトムレール等に取り付けられていた。この作業は、レールの内側において実施するめ、比較的厄介である。特に、ツイン型プリーツスクリーンにピッチ保持コードを取り付ける場合、中間レールの背面において、近接する２個のコード孔の一方に上側ピッチ保持コードの下端部を通して結び玉を形成するか又は端子に止着し、他方のコード孔に下側ピッチ保持コードの上端部を通して結び玉を形成するか又は端子に止着するため、作業は二重となり非常に厄介である。
【特許文献１】特許第３２５８９６５号公報
【発明の開示】
【発明が解決しようとする課題】
【０００３】
本発明は、この問題を解決するためになされたものであり、その課題は、プリーツスクリーンのピッチ保持コード取付作業、特に、中間レールへのピッチ保持コード取付作業を容易にするピッチ保持コード用端子を提供することである。
【課題を解決するための手段】
【０００４】
前記課題を達成するため、本発明が採用する手段は、プリーツスクリーン用レールの底面又は背面に設けられる取付溝又は取付孔に着脱可能に固定されるピッチ保持コード用端子において、取付溝又は取付孔は、開口が長穴状あり、その内部は、開口から短径方向に両側へ広がり、ピッチ保持コード用端子は、一体に連続する頭部と胴部と脚部と、頭部から胴部を通り脚部に抜ける１個以上のコード孔を備え、脚部と胴部の短径は、同方向同大で上記開口の短径以下であり、胴部の短径と直交する長径は、上記開口内において開口の短径方向を向くとき、弾性変形して開口に嵌着する大きさであり、胴部長径と同方向の脚部の長径は、胴部の長径以上であるように形成されるいことを特徴とする。
【発明の効果】
【０００５】
本発明のピッチ保持コード用端子のコード孔に、レールの外側において、ピッチ保持コードの端部を通して胴部に巻き付け、ついで、そのピッチ保持コード用端子を、胴部と脚部の長径が取付溝又は取付孔の開口の長手方向を向く状態で、レールの底面又は背面の取付溝又は取付孔に挿入して直角回転すると、胴部が弾性変形して開口に嵌着してピッチ保持コード用端子がレールに固定され、ピッチ保持コードのレールへの取付が完了する。この作業は簡単なワンタッチ操作である。中間レールにピッチ保持コードを取り付けるときも、２本の上側ピッチ保持コードの下端部と下側ピッチ保持コードの上端部を、ピッチ保持コード用端子の２つのコード孔に別々に通して胴部に巻き付け、そのピッチ保持コード用端子をレールの取付溝又は取付孔に挿入して直角回転するだけのワンタッチ操作であるから、従来のレールの内側で結び玉を形成したり端子に止着したりする作業に比べると、作業は非常に簡単である。
【発明を実施するための最良の形態】
【０００６】
本発明のピッチ保持コード端子を取り付ける取付溝又は取付孔は、ヘッドボックス、ボトムレール、中間レールの取付の容易な背面に設けることが好ましい。製作上、取付溝又は取付孔の開口は、長径をレール長手方向とし、短径をレール長手方向と直交させることが好ましい。ピッチ保持コード端子の胴部は、横断面が楕円形又は長円形とする。ピッチ保持コード端子の脚部は、横断面が角の丸い長方形又は直線状長辺と円弧状短辺からなる４辺形であり、その短径は胴部短径と同方向同大とするが、長径は、取付溝又は取付孔の開口内において、ピッチ保持コード端子の回転を円滑にするため、胴部の長径以上とする。
【０００７】
ピッチ保持コード端子の頭部は、横断面が角の丸い長方形又は直線状長辺と円弧状短辺からなる４辺形であり、その長径は、脚部と胴部の長径と直交し大きさはそれ以上であり、短径は、脚部の長径と同方向であり大きさはそれ以下である。取付溝又は取付孔内において、ピッチ保持コード端子の姿勢を安定させるため、頭部の正面の長径方向両側に取付溝又は取付孔の開口に嵌る突起を形成する。コード孔は、２つとし胴部の長径方向に並列する。
【実施例】
【０００８】
本発明を図面に示す実施例に基づいて説明する。図１は、本発明実施例のピッチ保持コード端子を使用するツイン型プリーツスクリーンの側断面図、図２は、図１の中間レールの拡大横断面図、図３は、ピッチ保持コード端子の背面図、図４は図３のＩＶ−ＩＶ線に沿う断面図、図５及び図６は、ピッチ保持コード端子の正面図及び側面図、図７は、胴部の横断面図である。
【０００９】
図１に示すように、ツイン型プリーツスクリーンは、ヘッドボックス１とボトムレール３の間に中間レール２を備え、ヘッドボックス１と中間レール２の間に上側プリーツスクリーン４が、中間レール２とボトムレール３の間に下側プリーツスクリーン５がそれぞれ吊り下げられる。展開時に、折りたたみ可能な上側及び下側プリーツスクリーン４、５のプリ−ツピッチを一定に保持するため、ヘッドボックス１と中間レール２の間に上側ピッチ保持コード６が、中間レール２とボトムレール３の間に下側ピッチ保持コード７がそれぞれ取り付けられる。
【００１０】
上側ピッチ保持コード６の上端部は、ヘッドボックス１の背面に位置する取付溝８に、上側ピッチ保持コード６の下端部と下側ピッチ保持コード７の上端部は、中間レール２の背面に位置する取付溝８に、下側ピッチ保持コード７の下端部は、ボトムレール３の背面に位置する取付溝８に、それぞれピッチ保持コード用端子９を介して取り付けられる。ヘッドボックス１、中間レール２、ボトムレール３に設けられる取付溝８の形状及び寸法は実質的に同一であり、長辺の中央が開口する長方形横断面を有し、レール長手方向に延長する。
【００１１】
図２に示すように、中間レール２の背面に開口１０を有する取付溝８は、中間レール２と一体に形成される。開口１０は、長径がレール長手方向に延長する長穴状であり、短径はレール長手方向に直交して上下方向を向く。取付溝８の内部空間は、開口１０の短径方向両側から上下に拡大する。開口１０の長径はレール全長と同長であるが、長径をレール全長より短くすることもできる。開口の長径が比較的小さいときは、内部に底を設けて補強する必要はないから、プリーツスクリーン用レールには、取付溝の代わりに底のない取付孔を設けてピッチ保持コード用端子を取り付ける。
【００１２】
取付溝８に取り付けるピッチ保持コード用端子９は、一体に連続する頭部１１と、胴部１２と、脚部１３と、それらを貫通する１つ以上のコード孔１４とからなる。上側ピッチ保持コード６の下端部は、ピッチ保持コード用端子９の上側のコード孔１４を頭部側から脚部側に通されて胴部１２に巻き付けられ、下側ピッチ保持コード７の上端部は、ピッチ保持コード用端子９の下側のコード孔１４に頭部側から通されて胴部１２に巻き付けられる。
【００１３】
ピッチ保持コード用端子９が取付溝８に装着されたとき、頭部１１は、取付溝８の外側において中間レール２の背面に沿い、胴部１２は、開口１０に嵌着し、脚部１３は取付溝８の内側に入りピッチ保持コード用端子９の抜け止めとなる。上側及び下側ピッチ保持コード６、７の端部は、開口１０と脚部１３に挟持されて固定する。
【００１４】
ピッチ保持コード用端子９の頭部１１は、図３、図４、図５に示すように、背面から見ると、角の丸い長方形である。  頭部１１の長径は、脚部１３の長径よりも長く、その方向は、ピッチ保持コード用端子９が取付溝に装着されたとき、開口の長径方向と一致するレール長手方向を向く。頭部１０の短径は、脚部１３の長径に等しいか又はそれよりも少し短く、その方向は、ピッチ保持コード用端子９が取付溝に装着されたとき、レール長手方向と直交して開口の短径方向と一致する。頭部１１の背面には、両側に回転を示すレリーフが付与され、少し凹む中央には、上下に２個のコード孔１４が並んで開口する。図４、図５、図６に示すように、頭部１１の正面左右には、突起１５が形成される。
【００１５】
ピッチ保持コード用端子９の胴部１２は、図４、図６、図７に示すように、横断面長円形の柱体である。胴部１２の長径は、開口の短径である上下幅よりも少し長く、その方向は、ピッチ保持コード用端子９が取付溝に装着されたとき、レール長手方向と直交して開口の短径方向を向く。胴部１２の短径は、開口の短径である上下幅よりも少し短く、その方向は、ピッチ保持コード用端子９が取付溝に装着されたとき、レール長手方向と一致し開口の長径方向を向く。
【００１６】
ピッチ保持コード用端子９の脚部１３は、図５、図６、図７に示すように、正面から見ると、角の丸い長方形である。脚部１３の長径は、開口の短径である上下幅よりも長く、取付溝内部空間の上下幅よりも短く、ピッチ保持コード用端子９が取付溝に装着されたとき、レール長手方向と直交して開口の短径方向を向く。脚部１３の短径は、胴部１２の短径と等しく開口の短径である上下幅より少し短く、その方向は、ピッチ保持コード用端子９が取付溝に装着されたとき、レール長手方向と一致し開口の長径方向を向く。
【００１７】
次に、ピッチ保持コード用端子９による上側及び下側ピッチ保持コード６、７の中間レール２への取付を説明する。中間レール２の外側において、上側ピッチ保持コード６の下端部を、ピッチ保持コード用端子９の上側のコード孔１４に頭部側から脚部側に通し、その先端を胴部１２に巻き付ける。同様に、下側ピッチ保持コード７の上端部を、ピッチ保持コード用端子９の下側のコード孔１４に頭部側から脚部側に通し、その先端を胴部１２に巻き付ける。それから、ピッチ保持コード用端子９を、頭部１１の長径方向がレール長手方向に直交する状態で、脚部１３を中間レール背面の取付溝８に挿入して直角に回転すると、胴部１２の長径が開口１０の短径方向を向き、弾性変形して開口１０に嵌着するから、ピッチ保持コード用端子９は中間レール２に強固に固定される。。
【００１８】
このとき、上側及び下側ピッチ保持コード６、７の端部は、開口１０と脚部１３に挟持されて固定し、頭部１１の突起１５が開口１０に嵌るから、ピッチ保持コード用端子９の姿勢は安定する。このように、ピッチ保持コード用端子９の取付作業は、ワンタッチ操作であるから、従来のレールの内側で結び玉を形成したり端子に止着したりする作業に比べると、作業は非常に簡単である。取り外し作業も、ピッチ保持コード用端子９の頭部１１を取付時とは逆に直角に回転して取付溝８から抜き取るだけの簡単なワンタッチ操作である。
【図面の簡単な説明】
【００１９】
【図１】本発明実施例のピッチ保持コード端子を使用するツイン型プリーツスクリーンの側断面図、
【図２】図１の中間レールの拡大横断面図、
【図３】ピッチ保持コード端子の背面図、
【図４】ピッチ保持コード端子の縦断面図、
【図５】ピッチ保持コード端子の正面図、
【図６】ピッチ保持コード端子の側面図、
【図７】胴部の横断面図。
【符号の説明】
【００２０】
１：ヘッドボックス
２：中間レール
３：ボトムレール
４：プリーツスクリーン（上側）
５：プリーツスクリーン（下側）
６：ピッチ保持コード（上側）
７：ピッチ保持コード（上側）
８：取付溝
９：ピッチ保持コード端子カバー
１０：開口
１１：頭部
１２：胴部
１３：脚部
１４：コード孔
１５：突起
【図１】
2005282134.tif 000003
【図２】
2005282134.tif 000004
【図３】
2005282134.tif 000005
【図４】
2005282134.tif 000006
【図５】
2005282134.tif 000007
【図６】
2005282134.tif 000008
【図７】
2005282134.tif 000009